(57)【要約】【課題】円滑な蓋の開閉が可能な十分な剛性を備えた軽量の釣用バッグの提供。【解決手段】この釣用バッグ１０は、釣人が胴に装着して使用する。釣用バッグ１０は、ケース１６及び蓋１７を有する。ケース１６は、有底筒状に形成され、上面１８に開口１９が設けられている。蓋１７は、ケース１６の上面１８に被せられ、開口１９を開閉する。開口１９の周縁部の一部に芯材２５が内蔵されている。この芯材２５に磁石２６が設けられている。蓋１７の周縁部に補強材４０が内蔵されており、この補強材４０に磁石３２が設けられている。蓋１７が閉じられたとき、磁石３２は磁石２６と対向する。【選択図】図５
2015077077.tif 000002
【特許請求の範囲】
【請求項１】
釣人が胴に装着して使用する釣用バッグであって、
上面に開口が設けられた有底筒状を呈し且つ釣人の胴に当接する背面を有するケースと、
当該ケースの上記背面の反対側に位置する正面に取り付けられ、上記開口を開閉する蓋と、
上記ケースの背面側に設けられ、釣人の胴に巻き付けられる装着ベルトとを備え、
上記開口の周縁部のうち少なくとも上記背面側部分に当該部分の剛性を向上させる芯材が設けられ且つ当該芯材に磁石が取り付けられており、
上記蓋は、当該蓋が上記開口を閉じた状態で上記磁石と対向する位置に当該磁石に磁着する部材を備えている釣用バッグ。
【請求項２】
上記磁石は、平板状に形成されている請求項１に記載の釣用バッグ。
【請求項３】
上記蓋の周縁部のうち当該蓋が閉じた状態で上記芯材と対向する部分に補強材が設けられ且つ当該補強材に上記磁石に磁着する部材が取り付けられている請求項１又は２に記載の釣用バッグ。
【発明の詳細な説明】
【技術分野】
【０００１】
この発明は、主に釣りの際に釣人が腰に装着して使用し、釣り道具や釣餌等を収容するバッグの構造に関するものである。
【背景技術】
【０００２】
従来から釣り道具や釣餌のほか釣れた魚を収容する釣用バッグが提供されている（たとえば、非特許文献１参照）。
【０００３】
従来の釣用バッグは、ショルダーベルトやウエストベルトを備えており、釣人は、これらを利用して肩や腰に釣用バッグを装着する。特にウエストベルトは、一般に釣人の腰に巻き付けられ、バックルで固定される構造であるから、釣人は、釣りをしながら釣用バッグを携行することができる。
【先行技術文献】
【非特許文献】
【０００４】
【非特許文献１】2013シマノフィッシングタックルカタログ  P307,318,320
【発明の概要】
【発明が解決しようとする課題】
【０００５】
たとえばルアーフィッシングにおいてルアーの交換や仕掛けを変更する際には、釣人は、釣用バッグの蓋を開けて必要な道具を取り出し、再び蓋を閉じる動作を行う。このとき、釣用バッグ本体及び蓋の剛性が十分に大きければ蓋の開閉は円滑に行われる。ところが、蓋や釣用バッグ本体の剛性が高く維持されることにより、釣用バッグの重量が増加し、実釣において使い勝手が悪くなるという問題がある。
【０００６】
本発明はかかる背景のもとになされたものであって、その目的は、蓋の開閉が円滑に行える十分な剛性を備えた軽量の釣用バッグを提供することである。
【課題を解決するための手段】
【０００７】
(1) 本発明に係る釣用バッグは、釣人が胴に装着して使用するものであって、上面に開口が設けられた有底筒状を呈し且つ釣人の胴に当接する背面を有するケースと、当該ケースの上記背面の反対側に位置する正面に取り付けられ、上記開口を開閉する蓋と、上記ケースの背面側に設けられ、釣人の胴に巻き付けられる装着ベルトとを備える。上記開口の周縁部のうち少なくとも上記背面側部分に当該部分の剛性を向上させる芯材が設けられ且つ当該芯材に磁石が取り付けられている。上記蓋は、当該蓋が上記開口を閉じた状態で上記磁石と対向する位置に当該磁石に磁着する部材を備えている。
【０００８】
この発明によれば、釣人は、ケースの蓋を開けて当該ケース内にルアーその他釣り道具、釣餌その他の実釣に必要なものを収容し、取り出すことができる。また、釣人は、装着ベルトを胴に巻き付けることにより、釣用バッグを腰や腹部に配置することができる。上記ケースの開口周縁部に芯材が設けられているから、当該開口周縁部の剛性が向上している。したがって、蓋の開閉時に上記開口の変形が抑制され、釣人は、蓋の開閉動作を容易且つ円滑に行える。しかも、ケースの開口周縁部に磁石が設けられているから、上記蓋が閉じられたときに、当該蓋に設けられた上記磁石に磁着する部材が上記磁石と磁着する。したがって、蓋が閉じられた状態が一定の保持力で保持されると共に上記開口周縁部の剛性向上と相まって釣用バッグ全体の剛性が向上して使い勝手が良くなる。さらに、釣人は、上記保持力（上記磁力）に抗して蓋を開ければ、蓋は、簡単に開けられる。
【０００９】
(2) 上記磁石は、平板状に形成されているのが好ましい。
【００１０】
これにより、上記開口周縁部のボリュームの増加が抑えられ、釣人は、きわめて滑らかに蓋の開閉動作を行える。
【００１１】
(3) 上記蓋の周縁部のうち当該蓋が閉じた状態で上記芯材と対向する部分に補強材が設けられ且つ当該補強材に上記磁石に磁着する部材が取り付けられているのが好ましい。
【００１２】
この構成では、上記蓋の周縁部に補強材が設けられているから、当該蓋の剛性も向上している。したがって、蓋の開閉操作が一層簡単になると共に、上記ケースの開口周縁部の剛性向上と相まって、釣用バッグ全体の剛性がなお一層向上し、使い勝手がさらに良くなるという利点がある。
【発明の効果】
【００１３】
この発明によれば、ケースの開口周縁部の剛性が向上し、蓋の開閉が円滑に行える。しかも、上記開口周縁部の一部のみに芯材が内蔵されているので、重量増加が抑えられた軽量の釣用バッグが提供される。
【図面の簡単な説明】
【００１４】
【図１】図１は、本発明の一実施形態に係る釣用バッグ１０の使用状態を示す斜視図である。
【図２】図２は、釣用バッグ１０の斜視図である。
【図３】図３は、釣用バッグ１０の斜視図である。
【図４】図４は、釣用バッグ１０の斜視図である。
【図５】図５は、蓋が開放された状態の釣用バッグ１０の斜視図である。
【発明を実施するための形態】
【００１５】
以下、本発明の好ましい実施形態が、適宜図面が参照されながら説明される。なお、本実施の形態は、本発明に係る釣用バッグの一態様にすぎず、本発明の要旨を変更しない範囲で実施態様が変更されてもよいことは言うまでもない。
【００１６】
図１は、本発明の一実施形態に係る釣用バッグ１０の使用状態を示す斜視図である。
【００１７】
この釣用バッグ１０は、釣人１１が実釣において自己の胴に装着するものである。たとえばルアーをキャストする際には、釣用バッグ１０は、釣人１１の腰側に配置されているのが好ましいが、ルアーを交換する際には、同図が示すように、釣人１１の腹側に配置されるのが便利である。本実施形態に係る釣用バッグ１０の特徴とするところは、ケース１６の開口１９の周縁部に芯材２５が内蔵されており（図５参照）、当該周縁部の剛性が向上されることにより釣人が蓋１７の開閉を円滑に行える点、及び上記芯材２５は軽量な材料からなり、釣用バッグ１０が軽量に仕上げられている点である。
【００１８】
図２ないし図４は、釣用バッグ１０の斜視図である。図２は右斜め前方から見た図、図３は右斜め後方から見た図、図４は左斜め後方から見た図である。
【００１９】
釣用バッグ１０は、バッグ本体１２と、装着ベルト１３と、ケーブル１４（図３参照）及びこれが係合された閉止装置１５（特許請求の範囲に記載された「ボア（登録商標）レーシングシステム」に相当）とを備えている。
【００２０】
バッグ本体１２は、ケース１６及びこれに設けられた蓋１７を有する。図５は、この蓋１７が開放された状態を示す釣用バッグ１０の斜視図である。
【００２１】
ケース１６の外形形状は略直方体状であり、いわゆる有底筒状に形成されている。ケース１６の上面１８に開口１９が形成されている。この開口１９に連通して、ケース１６の内部に収容室２０が区画されている。すなわち、ケース１６は、底面及び側壁部２１を有する。この側壁部２１は筒状を呈しており、当該側壁部２１の下端が底面の周縁に連続している。底面に立設された側壁部２１の上端面が上記上面１８を構成している。そして、側壁部２１の上端によって上記開口１９が形成され、この開口１９に連続して側壁部２１に取り囲まれるようにして上記収容室２０が区画されている。ケース１６は、ポリ塩化ビニル（ＰＶＣ）からなる。本実施形態では、ケース１６の底面及び側壁部２１に断熱材（典型的には、ポリエチレン（ＰＥ）フォーム）が内蔵されていてもよい。このＰＥフォームは、低密度ポリエチレンに、 有機系発泡剤などの諸原料が混合され、熱分解されることにより製造され得る。
【００２２】
本実施形態では、ケース１６の側壁部２１にポケット２２が設けられている。また、側壁部２１にアンカーリング２３が取り付けられており、このアンカーリング２３に肩掛けベルト２４が設けられている。もっとも上記ポケット２２、アンカーリング２３及び肩掛けベルト２は、省略されても良い。
【００２３】
本実施形態では、底面のサイズは、幅が２７ｃｍに設定され、奥行きが１１ｃｍに設定されている。もっとも底面のサイズはこれに限定されるものではなく、幅は１８ｃｍ〜３５ｃｍ程度に設定され、奥行きは、７ｃｍ〜１８ｃｍ程度に設定され得る。また、本実施形態では、側壁部２１の高さが２０ｃｍに設定されているが、当該高さは、１５ｃｍ〜２５ｃｍ程度に設定され得る。これにより、ルアー釣りに必要な道具、餌等がコンパクトに収容され得る。
【００２４】
側壁部２１の上端部、すなわち、上記開口１２の周縁部に芯材２５が内蔵されている。この芯材２５は、ＰＥフォームからなり、幅が２０ｍｍ程度の帯状部材からなる。この芯材２５が矩形に屈曲されて、上記開口１２の周縁部に配置されている。本実施形態では、芯材２５は、上記開口１２の周縁部の全体に内蔵されているが、少なくとも当該周縁部のうち当該ケース１６の背面２７側に内蔵されていればよい。
【００２５】
この芯材２５の所定部位に磁石２６が取り付けられている。つまり、この磁石２６も上記開口１２の周縁部に内蔵されている。本実施形態では、３つの磁石２６が内蔵されており、これらは、平板状に形成されている。各磁石２６は、上記開口１２の周縁部のうちケース１６の背面２７側に並設されている。もっとも、磁石２６の数は３つに限定されるものではなく、磁石２６が単一の細長板状に形成されてもよいし、４つ以上に分割されていてもよい。また、磁石２６は、上記開口１２の周縁部のうちケース１６の背面２７側に設けられるほかに、側面側や正面側に配置されてもよい。
【００２６】
なお、本実施形態では、ケース１６の内壁にポケット２８が設けられている。このポケット２８は、ファスナーを備えており、開閉自在となっている。また、ケース１６の背面２７に把手２９が設けられている。この把手２９は、背面２７の上端部の中央に配置されており、釣人が手を掛けることによって釣用バッグ１０をつり下げることができる。
【００２７】
上記ケース１６の背面２７の中央部にクッション３０が設けられている。このクッション３０は、ＰＥフォームから構成され得る。クッション３０は矩形状を呈する。クッション３０は、上記背面２７の上端部と下端部との間に掛け渡され、上記背面２７の中央部を覆っている。すなわち、クッション３０の上縁及び下縁がそれぞれ上記背面２７の上端部及び下端部に縫い付けられている。したがって、クッション３０の両側縁部分は上記背面２７と連結されておらず、クッション３０と上記背面２７との間に、後に詳述される装着ベルト１３が挿通されている。
【００２８】
ケース１６には、上面１８に設けられた開口１９を開閉する蓋１７が設けられている。蓋１７は、トレイ状に形成されており、ＰＶＣから構成されている。蓋１７は、ケース１６の正面３１（図２参照）に連結されている。具体的には、ケース１６の正面３１の上縁と蓋１７の周縁部との間に、図示されていない連結シートが掛け渡されている。この連結シートがヒンジを構成している。すなわち、蓋１７はケース１６に対してヒンジ結合されており、ケース１６の開口１９を開放する開姿勢（図５参照）と、ケース１６の開口１９を閉塞する閉姿勢（図２〜図４参照）との間で姿勢変化するようになっている。本実施形態では、蓋１７がケース１６の正面３１側に連結されていることから、蓋１７が開かれるときは、釣人１１の身体の外側へ展開される。したがって、釣人１１が釣り道具等をケース１６から出し入れする際に蓋１７が邪魔にならないという利点がある。
【００２９】
図５が示すように、蓋１７の周縁部に補強材４０が内蔵されている。この補強材４０は蓋１７の周縁部に沿って環状に屈曲形成されており、蓋１７の周縁部を囲繞している。この補強材４０は、上記ケース１６に設けられた芯材２５と同様の材料から構成され、典型的には所要の弾性を有する樹脂板が採用され得る。この補強材４０が設けられることにより、蓋１７の周縁部の剛性が向上し、蓋１７の保形性が向上している。この補強材４０は、少なくとも蓋１７の周縁部のうち上記ケース１６の背面２７側に内蔵されていればよく、蓋１７の周縁部のうち上記ケース１６の正面３１側を除く上記背面２７側及び側面側に内蔵されていてもよい。そして、この補強材４０の所定部に磁石３２（特許請求の範囲に記載された「上記磁石に磁着する部材」に相当）が設けられている。この磁石３２は、蓋１７が閉姿勢となったときに、ケース１６に設けられた磁石２６と対向する位置に設けられている。
【００３０】
図３及び図４が示すように、装着ベルト１３は、ベルト本体３３と、ロックベルト３４とを備えている。ベルト本体３３は、帯状に形成されており、前述のようにクッション３０とケース１６の背面２７との間に挿通されている。ベルト本体３３は、クッション３０にたとえば面ファスナーを介して取り付けられていてもよい。ベルト本体３３の幅は、図１が示すように、釣人の胴に安定的に巻き付けれる程度に設定されるのが好ましい。
【００３１】
ベルト本体３３の両端部にロックベルト３４が連結されている。ロックベルト３４は、二分割されており、バックル３５が介在している。したがって、バックル３５が結合してロックベルト３４が連結されると、ベルト本体３３は、バッグ本体１２を支持した状態で釣人の胴に装着される。また、バックル３５が離脱すると、ベルト本体３３は、バッグ本体１２と共に釣人の身体から外れる。
【００３２】
上記バッグ本体１２に一対のケーブル１４が固定されている。各ケーブル１４は、一対の締付帯３６、３７と、引張ワイヤ３８とを備えている。締付帯３６は、ケース１６の背面２７と側面との境界部位であって、ケース１６の上端側に連結されている。また締付帯３７は、上記背面２７と側面との境界部位であって、ケース１６の下端側に連結されている。つまり、締付帯３６、３７のそれぞれの一端部がケース１６の上端側及び下端側に縫い付けられており、バッグ本体１２に向かってＶ字状に延びている。引張ワイヤ３８は、締付帯３６、３７の他端部に掛け回されており、当該他端部同士は、引張ワイヤ３８によって束ねられている。
【００３３】
上記連結ベルト１３に閉止装置１５が設けられている。具体的には、ベルト本体３３の両端部に一対の閉止装置１５が固定されている。この閉止装置１５は、上記引張ワイヤ３８の両端部が係合されており、摘み３９が回転されることにより上記引張ワイヤ３８を引き込むことができると共に、摘み３９が操作されることにより、引き込まれた引張ワイヤ３８を一気に送り出すことができる。本実施形態では、この閉止装置１５は、ボアテクノロジーインコーポレイテッド製のボア（登録商標）レーシングシステムを採用している。この閉止装置１５は一般に市販されているものであり、したがって、閉止装置１５の構造の説明は省略される。なお、この閉止装置１５の構造は、特開２０１０−１４８９２７号公報（特許登録第５０４８０９６号）に詳しく記載されている。
【００３４】
釣人１１は、本実施形態に係る釣用バッグ１０を次の要領で使用する。
【００３５】
釣人１１は、蓋１７を開閉することにより、バッグ本体１２の収容室２０（図５参照）にツアー等の釣り道具、釣餌その他実釣に必要なものを収容し、自由に出し入れすることができる。釣人１１は、バックル３５を外して装着ベルト１３を胴に巻き付ける。このとき、釣人１１は、ベルト本体３３を腰に巻き付けた後、再びバックル３５を嵌め合わせることにより、バッグ本体１２を腰に配置することができる。
【００３６】
図５が示すように、ケース１６の開口１９の周縁部に芯材２５が設けられているから、当該周縁部の剛性が向上している。しかも、この芯材２５はＰＥフォームからなるので軽量である。これにより、蓋１７の開閉時に上記開口１９の変形が抑制され、釣人１１は、実釣において蓋１７の開閉動作を容易且つ円滑に行える。しかも、上記開口１９の周縁部に磁石２６が設けられているから、蓋１７が閉じられたときに、蓋１７に設けられた磁石３２が磁石２６と磁着する。したがって、閉じられた蓋１７は、一定の保持力で当該閉じ状態が保持されるうえ、上記開口１９の周縁部の剛性向上と相まって釣用バッグ１０全体の剛性が向上して使い勝手が良くなるという利点がある。加えて、釣人１１が上記保持力（上記磁力）に抗して蓋１７を開けようとした場合には、蓋１７は、上記磁力でのみ閉じ状態を保持されているだけであるから、簡単に開放される。
【００３７】
本実施形態では、上記磁石２６が平板状に形成されているから、上記開口１９の周縁部のボリュームの増加が抑えられる。このため、釣人は、きわめて滑らかに蓋１７の開閉動作を行うことができる。
【００３８】
また、本実施形態では、蓋１７の周縁部にも補強材４０が設けられているから、当該蓋１７の剛性も向上している。したがって、蓋１７の開閉操作が一層簡単になる。しかも、上記開口１９の周縁部の剛性向上と相まって、釣用バッグ１０び全体の剛性がなお一層向上し、使い勝手がさらに良くなるという利点がある。
【００３９】
ところで、釣人が上記閉止装置１５を操作（具体的には、摘み３９を操作）することにより、ケーブル１４が閉止装置１５に引き込まれる。このケーブル１４は、装着ベルト１３とバッグ本体１２との間に掛け渡されているから、ケーブル１４が引き込まれることにより、バッグ本体１２は、釣人の腰に確実に固定される。また、この状態から釣人１１が閉止装置１５を操作することにより、ワンタッチで上記ケーブル１４が送り出される。これにより、ケーブル１４が緩められて、バッグ本体１２は、上記装着ベルト１３が外されなくても釣人の胴のまわりに回転することができる。つまり、たとえば、実釣において釣人１１がルアーの交換をする場合等では、図１が示すように、バッグ本体１２は、釣人１１の腹側に移動することができる。
【００４０】
本実施形態では、上記ケーブル１４は、前述のようにＶ字状に配置された一対の締付帯３６、３７を備えているから、閉止装置１５に引張ワイヤ３８が引き込まれると、上記締付帯３６、３７が釣人１１の胴側に引っ張られ、バッグ本体１２が均等に釣人１１の胴に圧接される。その結果、釣人１１が激しく釣竿を操作したとしても、釣用バッグ１０が釣人１１の身体に対して動くことが防止される。
【００４１】
また、上記バッグ本体１２の背面２７にクッション３０が設けられているので、バッグ本体１２が釣人１１の胴に圧接された場合でも、釣人１１にとってソフトな感触である。さらに、上記装着ベルト１３がクッション３０に取り付けられる場合は、上記ベルト本体３３が釣人１１の腰に巻き付けられた際に、ケーブル１４に作用する張力の反力が直接にバッグ本体１２に作用しない。そのため、バッグ本体１２の変形が防止されるという利点もある。
【符号の説明】
【００４２】
１０・・・釣用バッグ
１１・・・釣人
１２・・・バッグ本体
１３・・・装着ベルト
１６・・・ケース
１７・・・蓋
１８・・・上面
１９・・・開口
２１・・・側壁部
２５・・・芯材
２６・・・磁石
２７・・・背面
３１・・・正面
３２・・・磁石
４０・・・補強材
【図１】
2015077077.tif 000003
【図２】
2015077077.tif 000004
【図３】
2015077077.tif 000005
【図４】
2015077077.tif 000006
【図５】
2015077077.tif 000007